(57)【要約】【課題】出力画像とトンボマークとが重なる部分の該出力画像に対してトンボマークを強調できるようにすると共に、断裁時の作業性を向上できるようにする。【解決手段】  出力画像のサイズよりも大きいサイズの記録材の画像領域の周囲を断裁して出力物を得る場合に、ＤＲＡＭ制御ＩＣ５６が、トンボマークの出力位置を含むトンボマークデータと、出力画像を形成するための画像データとを入力して、この画像データ及びトンボマークデータから出力画像とトンボマークとが重なる部分を抽出する。操作表示部４８は、ＤＲＡＭ制御ＩＣ５６によって抽出された出力画像とトンボマークとが重なる部分を強調するための設定データを受け付ける。トリミング回路７１は、操作表示部４８によって受け付けられた設定データに基づいて、抽出された出力画像とトンボマークとが重なる部分を強調処理する。この構成によって、裁断時の基準を明確に認識できるようになる。【選択図】  図１
2012135899.tif 000002
【特許請求の範囲】
【請求項１】
画像領域とその外側に塗り足された塗り足し領域を含む出力画像を、該出力画像のサイズよりも大きいサイズの記録材上に形成した後、前記記録材の前記画像領域の周囲を断裁して出力物を得る画像形成装置において、
前記断裁するための位置を示す断裁マークの少なくとも出力位置を含む断裁マーク情報と、前記出力画像を形成するための出力画像情報とを入力し、入力された前記出力画像情報及び前記断裁マーク情報から前記出力画像と断裁マークとが重なる部分を抽出する抽出部と、
前記抽出部によって抽出された前記出力画像と前記断裁マークとが重なる部分を強調するための設定情報を受け付ける操作部と、
前記操作部によって受け付けられた前記設定情報に基づいて、前記抽出部によって抽出された前記出力画像と前記断裁マークとが重なる部分を強調処理する強調処理部とを備えることを特徴とする画像形成装置。
【請求項２】
前記強調処理部は、
前記操作部によって受け付けられた前記設定情報に基づいて、前記出力画像の前記塗り足し領域における前記断裁マークの周辺をトリミング処理することを特徴とする請求項１に記載の画像形成装置。
【請求項３】
前記断裁マークは、断裁位置が断裁後に画像領域側を示す内トンボと、前記画像領域とは反対側を示す外トンボとの間になるように構成されたものであり、
前記強調処理部は、
前記操作部によって受け付けられた前記設定情報に基づいて、前記内トンボについては当該内トンボよりも、前記画像領域と反対側を、前記外トンボについては当該外トンボよりも、前記画像領域側及び当該画像領域と反対側のいずれもトリミング処理することを特徴とする請求項２に記載の画像形成装置。
【請求項４】
前記強調処理部は、
前記操作部によって受け付けられた前記設定情報に基づいて前記塗り足し領域よりも外側に表示されるよう前記断裁マークの延伸処理を行うことを特徴とする請求項１に記載の画像形成装置。
【請求項５】
前記強調処理部は、
前記操作部によって受け付けられた前記設定情報に基づいて前記断裁マークを構成する線を拡幅することを特徴とする請求項１に記載の画像形成装置。
【請求項６】
前記断裁マークは、断裁位置が断裁後に画像領域側を示す内トンボと、前記画像領域と反対側を示す外トンボとの間になるように構成されたものであり、
前記強調処理部は、
前記操作部によって受け付けられた前記設定情報に基づいて前記内トンボについては当該画像領域と反対側に内トンボを構成する線を拡幅し、かつ、前記外トンボについては当該画像領域側及び当該画像領域と反対側に外トンボを構成する線を拡幅することを特徴とする請求項１に記載の画像形成装置。
【請求項７】
前記強調処理部は、
前記操作部によって受け付けられた前記設定情報に基づいて前記断裁マークの色を前記塗り足し領域の色と補色の関係にある色に変更することを特徴とする請求項１に記載の画像形成装置。
【請求項８】
画像領域とその外側に塗り足された塗り足し領域を含む出力画像を、該出力画像のサイズよりも大きいサイズの記録材上に形成した後、前記記録材の前記画像領域の周囲を断裁して出力物を得る画像形成装置が、
前記断裁するための位置を示す断裁マークの少なくとも出力位置を含む断裁マーク情報と、前記出力画像を形成するための出力画像情報を入力するステップと、
入力された前記出力画像情報及び前記断裁マーク情報から前記出力画像と断裁マークとが重なる部分を抽出するステップと、
抽出された前記出力画像と断裁マークとが重なる部分を強調するための設定情報を受け付けるステップと、
受け付けられた前記設定情報に基づいて、抽出された前記出力画像と断裁マークとが重なる部分を強調処理するステップとを実行することを特徴とする画像形成方法。
【発明の詳細な説明】
【技術分野】
【０００１】
この発明は、断裁するための位置を示すトンボマーク等の断裁マークを出力画像の四隅に付加して画像を形成するカラー複写機や、複合機、プリンタ等に適用可能な画像形成装置及び画像形成方法に関するものである。
【背景技術】
【０００２】
近年、色付きの原稿画像から取得した赤（Ｒ）色、緑（Ｇ）色、青（Ｂ）色に係るカラー画像データに基づいて所定の用紙にカラー画像を形成するデジタルカラー複写機が使用されるに至っている。この種の複写機によれば、原稿の画像情報がスキャナ等により読み込まれ、その原稿の画像情報に係るカラー画像データが取得される。
【０００３】
複写機にはレーザ記録装置が実装されており、スキャナ等から得られたＲＧＢ画像データをイエロー（Ｙ）色、マゼンタ（Ｍ）色、シアン（Ｃ）色、黒（Ｋ）色の画像データに色変換したＹＭＣＫ画像データに基づいて半導体レーザ光源から出射されるレーザ光を所定の電位の感光体ドラム上に、例えば、多面鏡回転体（以下ポリゴンミラーという）により露光走査して静電潜像を記録するようになされる。
【０００４】
感光体ドラム上に記録された静電潜像は各色のトナーにより現像され、例えば、中間転写体上で色が重ね合わされ、この中間転写体から所定の用紙へ色画像が転写され定着される。この結果、カラー原稿画像を複写（コピー）することができる。
【０００５】
ところで、画像形成装置の出力形態によっては、目的の画像サイズよりも大きな紙サイズの用紙を画像形成部に搬送し、この紙サイズ大の用紙に、カラー画像等を形成して、画像形成後、当該用紙の左右端部及び上下端部を切り落とす断裁処理がなされる場合がある。この断裁処理を円滑に行うためには、断裁位置を示す断裁マーク（以下でトンボマーク又は単にトンボということがある）を出力画像の四隅に付加して画像を形成する場合が多い。
【０００６】
この種の断裁マークの付加機能を備えた画像形成装置に関して、特許文献１には画像形成装置、画像形成方法及び画像形成システムが開示されている。この画像形成装置によれば、入力手段、操作部、画像形成部及び判断手段を備えている。入力手段は画像情報を入力するように操作される。操作部は、断裁機に読み取られるトンボマーク等の断裁マークを採用する。その際に、複数種類の断裁マークから所望の断裁マークを選択するように操作部が操作され、所望の断裁マークが選択される。
【０００７】
画像形成部は、操作部によって選択された断裁マーク及び画像情報を記録媒体に印刷する。これを前提にして、判断手段が画像形成部による印刷に先立ち、断裁マーク及び画像情報を含む印刷範囲が記録媒体に収まるかどうか判断するようにした。このように画像形成装置を構成すると、記録媒体に収まると判断された断裁マークを使用できるので、断裁機による不良出力を防止できるというものである。
【先行技術文献】
【特許文献】
【０００８】
【特許文献１】特開２００６−２７２５９号公報（第１２頁  図１）
【発明の概要】
【発明が解決しようとする課題】
【０００９】
ところで、特許文献１に見られるような従来例に係る画像形成装置によれば、所定の紙サイズの用紙に出力画像を形成し、その画像形成後の記録紙の左右端部及び上下端部を切り落とす断裁処理を行われるが、その断裁処理条件として、断裁処理後の記録紙の外周部（断裁線の内側）に余白を残すような断裁マークの設定がなされる。断裁マークは、画像形成部による印刷に先立ち、余白部分に設定される。この余白部分に断裁マークを設定する方法は、目的の画像サイズの出力画像が所定の紙サイズの用紙よりも小さい場合を前提している。
【００１０】
しかし、目的の画像サイズの出力画像が上述の所定の紙サイズと同じ場合であって、当該紙サイズよりも大きな紙サイズの用紙に形成して、その画像形成後の記録紙の左右端部及び上下端部を切り落とすような断裁処理を行う要求がある。その際には、目的の画像サイズの出力画像の外周部に塗り足し処理が施される。そして、断裁処理後の記録紙の外周部（断裁線の外側）に塗り足し部分が残留するようなトンボマーク等の設定を行わなくてはならないが、塗り足し部分にトンボマークが重なってしまうと、当該トンボマークが認識しづらくなる。特に、出力画像の背景の色と、同色のトンボマークが配置されると、トンボマーク自体が見えなくなってしまう。
【００１１】
従って、自動認識型の断裁機において、記録紙の被断裁位置が検出され、この被断裁位置に断裁刃を位置合わせする場合や、手動型の断裁機において、人間が目視で断裁刃を記録紙に位置合わせする場合に、当該トンボマークが認識し難くなることから、断裁時の作業性が低下するという問題がある。
【００１２】
そこで、この発明は上述した課題を解決したものであって、出力画像と断裁マークとが重なる部分の該出力画像に対して断裁マークを強調できるようにすると共に、断裁時の作業性を向上できるようにした画像形成装置及び画像形成方法を提供することを目的とする。
【課題を解決するための手段】
【００１３】
上記課題を解決するために、請求項１に記載の画像形成装置は、画像領域とその外側に塗り足された塗り足し領域を含む出力画像を、該出力画像のサイズよりも大きいサイズの記録材上に形成した後、前記記録材の前記画像領域の周囲を断裁して出力物を得る画像形成装置において、前記断裁するための位置を示す断裁マークの少なくとも出力位置を含む断裁マーク情報と、前記出力画像を形成するための出力画像情報とを入力し、入力された前記出力画像情報及び前記断裁マーク情報から前記出力画像と断裁マークとが重なる部分を抽出する抽出部と、前記抽出部によって抽出された前記出力画像と前記断裁マークとが重なる部分を強調するための設定情報を受け付ける操作部と、前記操作部によって受け付けられた前記設定情報に基づいて、前記抽出部によって抽出された前記出力画像と前記断裁マークとが重なる部分を強調処理する強調処理部とを備えることを特徴とするものである。
【００１４】
請求項１に係る画像形成装置によれば、抽出部は、断裁するための位置を示す断裁マークの少なくとも出力位置を含む断裁マーク情報と、出力画像を形成するための出力画像情報を入力し、ここに入力された出力画像情報及び断裁マーク情報から出力画像と断裁マークとが重なる部分を抽出する。操作部は、抽出部によって抽出された出力画像と断裁マークとが重なる部分を強調するための設定情報を受け付ける。これらを前提にして、強調処理部が操作部によって受け付けられた設定情報に基づいて、抽出部によって抽出された出力画像と断裁マークとが重なる部分を強調処理するようになる。
【００１５】
従って、出力画像と断裁マークとが重なる部分の該出力画像に対して断裁マークを強調できるので、裁断時の基準を明確に認識できるようになる。しかも、出力画像に対して設定された塗り足し領域に、断裁マークが隠蔽されることなく、断裁マークを強調できるようになる。
【００１６】
請求項２に記載の画像形成装置は、請求項１において、前記強調処理部は、前記操作部によって受け付けられた前記設定情報に基づいて、前記出力画像の前記塗り足し領域における前記断裁マークの周辺をトリミング処理することを特徴とするものである。
【００１７】
請求項３に記載の画像形成装置は、請求項２において、前記断裁マークは、断裁位置が断裁後に画像領域側を示す内トンボと、前記画像領域と反対側を示す外トンボとの間になるように構成されたものであり、前記強調処理部は、前記操作部によって受け付けられた前記設定情報に基づいて、前記内トンボについては当該内トンボよりも、前記画像領域と反対側を、前記外トンボについては当該外トンボよりも、前記画像領域側及び当該画像領域と反対側のいずれもトリミング処理することを特徴とするものである。
【００１８】
請求項４に記載の画像形成装置は、請求項１において、前記強調処理部は、前記操作部によって受け付けられた前記設定情報に基づいて前記塗り足し領域よりも外側に表示されるよう前記断裁マークの延伸処理を行うことを特徴とするものである。
【００１９】
請求項５に記載の画像形成装置は、請求項１において、前記強調処理部は、前記操作部によって受け付けられた前記設定情報に基づいて前記断裁マークを構成する線を拡幅することを特徴とするものである。
【００２０】
請求項６に記載の画像形成装置は、請求項１において、前記断裁マークは、断裁位置が断裁後に画像領域側を示す内トンボと、前記画像領域と反対側を示す外トンボとの間になるように構成されたものであり、前記強調処理部は、前記操作部によって受け付けられた前記設定情報に基づいて前記内トンボについては当該画像領域と反対側に内トンボを構成する線を拡幅し、かつ、前記外トンボについては当該画像領域側及び当該画像領域と反対側に外トンボを構成する線を拡幅することを特徴とするものである。
【００２１】
請求項７に記載の画像形成装置は、請求項１において、前記強調処理部は、前記操作部によって受け付けられた前記設定情報に基づいて前記断裁マークの色を前記塗り足し領域の色と補色の関係にある色に変更することを特徴とするものである。
【００２２】
請求項８に記載の画像形成方法は、画像領域とその外側に塗り足された塗り足し領域を含む出力画像を、該出力画像のサイズよりも大きいサイズの記録材上に形成した後、前記記録材の前記画像領域の周囲を断裁して出力物を得る画像形成装置が、前記断裁するための位置を示す断裁マークの少なくとも出力位置を含む断裁マーク情報と、前記出力画像を形成するための出力画像情報を入力するステップと、入力された前記出力画像情報及び前記断裁マーク情報から前記出力画像と断裁マークとが重なる部分を抽出するステップと、抽出された前記出力画像と断裁マークとが重なる部分を強調するための設定情報を受け付けるステップと、受け付けられた前記設定情報に基づいて、抽出された前記出力画像と断裁マークとが重なる部分を強調処理するステップとを実行することを特徴とするものである。
【発明の効果】
【００２３】
請求項１に記載の画像形成装置及び請求項８に記載の画像形成方法によれば、断裁するための位置を示す断裁マークの少なくとも出力位置を含む断裁マーク情報と、出力画像を形成するための出力画像情報を入力した抽出部によって抽出された出力画像と断裁マークとが重なる部分を、操作部によって受け付けられた設定情報に基づいて、強調処理する強調処理部を備えるものである。
【００２４】
この構成によって、出力画像と断裁マークとが重なる部分の該出力画像に対して断裁マークを強調できるので、裁断時の基準を明確に認識できるようになる。しかも、出力画像に対して設定された塗り足し領域についても、断裁マークが隠蔽されることなく、断裁マークを強調できるようになる。これにより、断裁時の作業性を向上できると共に、断裁機の不良出力を防止できるようになる。
【００２５】
請求項２に記載の画像形成装置によれば、操作部によって受け付けられた前記設定情報に基づいて、出力画像の塗り足し領域における断裁マークの周辺をトリミング処理することで、断裁時、出力画像と断裁マークとが重なる部分において、断裁マークを容易に確認できるようになる。
【００２６】
請求項３に記載の画像形成装置によれば、操作部によって受け付けられた設定情報に基づいて内トンボについては当該内トンボよりも画像領域とは反対側を、外トンボについては当該外トンボよりも、画像領域側及び当該画像領域とは反対側のいずれもトリミング処理されるので、断裁時、出力画像と断裁マークとが重なる部分において、白抜きを防止できるようになる。
【００２７】
請求項４に記載の画像形成装置によれば、操作部によって受け付けられた設定情報に基づいて塗り足し領域よりも外側に表示されるよう断裁マークの延伸処理が行われるので、必ず出力画像の外周部位から外側へ突出するような断裁マークを自動的に付与（延長）できるようになる。
【００２８】
請求項５に記載の画像形成装置によれば、操作部によって受け付けられた設定情報に基づいて断裁マークを構成する線を拡幅することで、出力画像と断裁マークとが重なる部分において当該出力画像と重なる断裁マークを強調できるようになる。
【００２９】
請求項６に記載の画像形成装置によれば、操作部によって受け付けられた設定情報に基づいて内トンボについては当該画像領域とは反対側に内トンボを構成する線を拡幅し、かつ、外トンボについては当該画像領域側及び当該画像領域とは反対側に外トンボを構成する線を拡幅することで、出力画像と断裁マークとが重なる部分において当該出力画像と重なる断裁マークを強調できるようになる。
【００３０】
請求項７に記載の画像形成装置によれば、操作部によって受け付けられた設定情報に基づいて断裁マークの色を塗り足し領域の色と補色の関係にある色に変更することで、出力画像と断裁マークとが重なった部分において、当該出力画像と重なる断裁マークを強調できるようになる。
【図面の簡単な説明】
【００３１】
【図１】本発明に係る実施形態としてのカラー複写機１００の構成例を示すブロック図である。
【図２】トンボ付与処理ブロック＃１の制御系の構成例を示すブロック図である。
【図３】記録紙Ｐ’におけるトンボマークＴ１〜Ｔ４の形成例を示す説明図である。
【図４】操作表示部４８におけるトンボ強調設定画面Ｇ１の表示例を示す説明図である。
【図５】第１の実施例に係るトンボ周辺トリミング例を示す説明図である。
【図６】そのトンボマークパターンＰ１の作成例を示す説明図である。
【図７】第２の実施例に係るトンボ周辺トリミング例を示す説明図である。
【図８】そのトンボマークパターンＰ２の作成例を示す説明図である。
【図９】第３の実施例に係るトンボ周辺トリミング例を示す説明図である。
【図１０】そのトンボマークパターンＰ３の作成例を示す説明図である。
【図１１】第４の実施例に係るトンボ周辺トリミング例を示す説明図である。
【図１２】そのトンボマークパターンＰ４の作成例を示す説明図である。
【図１３】第５の実施例に係るトンボ強調例（その１）を示す説明図である。
【図１４】そのトンボ強調例（その２）を示す説明図である。
【図１５】第６の実施例に係るトンボ強調例を示す説明図である。
【図１６】第７の実施例に係るトンボ強調例を示す説明図である。
【図１７】トンボ付与モード時の制御例（その１）を示すフローチャートである。
【図１８】トンボ付与モード時の制御例（その２）を示すフローチャートである。
【発明を実施するための形態】
【００３２】
以下、図面を参照しながら、この発明の実施形態に係る画像形成装置及び画像形成方法について説明をする。図１に示すカラー複写機１００は画像形成装置の一例を構成し、画像サイズを仕上がり寸法として、画像形成物（以下記録紙ともいう）を断裁するための位置（以下断裁位置ともいう）を示す断裁マーク（トンボマーク）を、プリンタ側で記録紙に付与する機能を有している。トンボマークは、カラー複写機１００で付与されるが、もちろん、プリンタドライバ側で付与するようにしてもよい。
【００３３】
トンボマークは、断裁位置が断裁後に画像領域側を示す内トンボと、画像領域と反対側を示す外トンボとの間になるように構成される。例えば、トンボマークは、自動認識型の断裁機において、記録紙の被断裁位置が検出され、この被断裁位置に断裁刃を位置合わせする場合や、手動型の断裁機において、記録紙の左右・上下端をトリミングカットするとき、断裁機上において、人間が目視で断裁刃に対する記録紙の位置を調整する場合に利用される。
【００３４】
カラー複写機１００は、制御部１５、画像処理手段１６、用紙供給部２０、操作表示部４８、プリンタ８０及びスキャナ１０２を有して構成される。制御部１５は、読み取り処理部５１、データバス５２、画像メモリ５３、不揮発メモリ５４、画像制御ＣＰＵ５５、ＤＲＡＭ制御ＩＣ５６及び書き込み処理部５７を有して構成される。
【００３５】
操作表示部４８は、操作制御部１４及び表示部１８を有して構成される。操作制御部１４は操作部の一例を構成し、画像制御ＣＰＵ５５又はＤＲＡＭ制御ＩＣ５６によって抽出された出力画像Ｇ（図２参照）とトンボマーク（図２参照）とが重なる部分（図１３参照）を強調するための設定情報を受け付けるように操作される。設定情報（以下設定データＤ５４という）は、制御部１５の不揮発メモリ５４等に保存される。
【００３６】
操作制御部１４はトンボ付与モード時のトンボ強調設定条件や、通常動作モード時の画像形成条件等を設定するように操作される。トンボ付与モードとは、画像サイズを仕上がり寸法として記録紙に断裁位置を示すトンボマークをプリンタ側で付与する動作をいう。通常動作モードとはトンボ付与モード以外の動作であって、ユーザが設定した画像形成条件等に基づいて所定の紙サイズの用紙に画像を形成する動作をいう。トンボ強調設定条件には、トンボマークの色強調や、その太さ変更、その太線延長及びそのトリミング等の設定項目が含まれる。
【００３７】
操作表示部４８は、タッチパネルと液晶表示装置（ＬＣＤ）から構成される。操作表示部４８にはＧＵＩ（Graphic User Interface）方式のユーザインターフェース（Ｉ／Ｆ：入力手段）が使用される。例えば、用紙設定時、当該用紙Ｐが収納されている給紙トレイを選択する操作がなされる。もちろん、用紙Ｐの種類（紙種）や、紙サイズ等を選択したり、給紙トレイを選択する際に、「自動」等の押しボタンがタッチ操作され、用紙選択時の画像形成条件が設定される。
【００３８】
操作表示部４８で設定されたトンボ強調設定条件や画像形成条件、給紙トレイ選択情報等は、操作データＤ１４となって画像制御ＣＰＵ５５に出力される。画像形成条件等は表示データＤ１８に基づいて表示部１８に表示される。図４には、トンボ強調設定画面Ｇ１の表示例を示している。表示データＤ１８は画像制御ＣＰＵ５５から操作表示部４８に出力される。
【００３９】
スキャナ１０２は、図示しない原稿画像走査露光装置を構成するラインイメージセンサ（以下ＣＣＤ１１という）や、スキャナ制御部１２等を含み構成される。ＣＣＤ１１は、操作表示部４８からの読み取り指示操作及びスキャナ制御部１２の制御に基づいて原稿（図示せず）を読み取り、読み取って得た画像データＤINを制御部１５に出力する。
【００４０】
読み取り処理部５１はスキャナ１０２のＣＣＤ１１に接続される。読み取り処理部５１は、ＣＣＤ１１から得られる画像データＤINを読み取り処理する。読み取り処理部５１では、画像データＤINから得られる入力画像のエッジを滑らかにするシェーディング補正処理等がなされる。
【００４１】
読み取り処理部５１には抽出部の一例を構成するＤＲＡＭ制御ＩＣ５６が接続される。ＤＲＡＭ制御ＩＣ５６は入力画像を構成する画像データＤINを画像メモリ５３に書き込むようにメモリ制御を実行する。この例では、ＤＲＡＭ制御ＩＣ５６は、断裁位置を示すトンボマークの少なくとも出力位置を含む断裁マーク情報（以下断裁マークデータＤＴという）と、出力画像Ｇを形成するための出力画像情報（以下画像データＤOUTという）とを入力し、ここに入力された画像データＤOUT及び断裁マークデータＤＴから出力画像Ｇとトンボマークとが重なる部分を抽出する。
【００４２】
出力画像Ｇとトンボマークとが重なる部分を抽出は、例えば、画像データＤOUTに基づいて出力画像Ｇの四隅のうち１箇所を拡大してメモリ領域に展開する。拡大されたメモリ領域にウインドウを設定することにより抽出範囲を画定する。この抽出範囲例については、図３に示す記録紙Ｐ’における右上方隅部を例に挙げている（図５〜図１６参照）。
【００４３】
ＤＲＡＭ制御ＩＣ５６には画像メモリ５３が接続される。画像メモリ５３は、サブメモリ３１及びページメモリ３２を有して構成される。サブメモリ３１には、複数のトンボマークパターンＰ１〜Ｐ４等を形成するための断裁マークデータＤＴが記憶される。ページメモリ３２には、１ページ分の出力画像Ｇを構成する画像データＤOUTが記憶される。
【００４４】
ＤＲＡＭ制御ＩＣ５６には画像メモリ５３の他に、不揮発メモリ５４が接続される。不揮発メモリ５４には、トンボ付与モード実行時の設定データＤ５４が記憶される。設定データＤ５４は、トンボ強調設定条件等を設定するための電子化された情報である。設定データＤ５４には、トンボマークの色強調や、その太さ変更及び、その太線延長等の設定項目が含まれる。
【００４５】
上述のＤＲＡＭ制御ＩＣ５６には、書き込み処理部５７が接続される。書き込み処理部５７は、ＤＲＡＭ制御ＩＣ５６の読み出し制御を受けて、画像メモリ５３から読み出された出力画像Ｇをトリミング処理したり、ページメモリ３２から読み出された出力画像Ｇに対し、サブメモリ３１から読み出されたトンボマークのオーバーレイ処理やオーバーライト処理等を実行する。
【００４６】
書き込み処理部５７では、例えば、ウインドウが設定されたメモリ領域で、操作表示部４８によって受け付けられた設定データＤ５４に基づいて出力画像Ｇとトンボマークとが重なる部分を強調処理するように画像制御ＣＰＵ５５又はＤＲＡＭ制御ＩＣによって制御される（図２参照）。
【００４７】
なお、画像制御ＣＰＵ５５は、例えば、スキャナ１０２で読み取った原稿の出力画像Ｇの周囲に対して操作表示部４８によって受け付けられた設定データＤ５４に基づき、塗り足し処理は施す。もちろん、外部のパソコン２００から受信される出力画像Ｇの周囲に対しては、既に塗り足し処理が施されている場合もある。塗り足し領域は、断裁時、断裁線が画定される境界領域の外周囲部分であって、断裁刃によって切り落とされる記録紙の左右・上下部分を含んでいる。塗り足し領域は、出力画像Ｇの背景色と同色で形成するようになされる。このような出力画像Ｇの周囲に対して塗り足し処理を施すことで、断裁後の画像の周囲における白抜きを防止できるようになる。
【００４８】
プリンタ８０は、画像形成部の一例を構成し、出力画像Ｇとトンボマークとを重ねた部分が強調された画像を用紙Ｐに形成する。プリンタ８０には、タンデム型のカラープリンタエンジンが使用される。プリンタ８０は、例えば、画像形成ユニット１０Ｙ，１０Ｍ，１０Ｃ，１０Ｋや、プリンタ制御部８２等を含み構成される。用紙供給部２０から供給される所定の用紙Ｐに画像及びトンボマークを形成してトンボマーク付きの記録紙Ｐ’を出力する（図３参照）。
【００４９】
カラー複写機１００は、画像形成ユニット１０Ｙ，１０Ｍ，１０Ｃ，１０Ｋ及び用紙供給部２０の他に、図示しない無終端状の中間転写ベルトや、二次転写ローラ、定着装置を備えている。画像形成ユニット１０Ｙ，１０Ｍ，１０Ｃ，１０Ｋは、画像形成部（以下プリンタ８０という）を構成する。
【００５０】
画像形成ユニット１０Ｙは、イエロー（Ｙ）色のトナー像を形成するために、図示しないＹ色用の感光体ドラム、帯電器、画像書き込み部、現像器及びクリーニング部を有して構成されている。帯電器は感光体ドラムを所定の電位で帯電する。画像書き込み部は帯電された感光体ドラムをＹ色作像用の画像データに基づいて露光する。Ｙ色作像用の画像データは制御部１５から画像形成ユニット１０Ｙへ供給される。これにより、感光体ドラムにはＹ色作像用の画像データに基づく静電潜像が書き込まれる。
【００５１】
現像器は、感光体ドラムに書き込まれた静電潜像をＹ色のトナー部材で現像する。現像後のＹ色のトナー像は感光体ドラムから、例えば、中間転写ベルトに転写され、その後、中間転写ベルト上で他の色のトナー像と重ね合わされてカラートナー像となる。中間転写ベルト上のカラートナー像は所定の用紙Ｐに転写される。カラートナー像が転写された後の用紙Ｐは、定着処理され、記録紙Ｐ’となって排紙される。画像の四隅にトンボマークが形成された用紙Ｐは、トンボマーク付きの記録紙Ｐ’となる。
【００５２】
画像形成ユニット１０Ｍは、マゼンタ（Ｍ）色の画像を形成するユニットであり、画像形成ユニット１０Ｃは、シアン（Ｃ）色の画像を形成するユニットであり、画像形成ユニット１０Ｋは、黒（ＢＫ）色の画像を形成するユニットである。画像形成ユニット１０Ｍ，１０Ｃ，１０Ｋの内部構成及び機能については、上述の画像形成ユニット１０Ｙを参照されたい。
【００５３】
プリンタ８０には用紙供給部２０が接続される。用紙供給部２０は、操作表示部４８からの指示操作に基づいて所定の給紙トレイを選択し、所定の紙サイズの用紙Ｐをプリンタ８０へ搬送する。
【００５４】
上述のＤＲＡＭ制御ＩＣ５６はデータバス５２に接続される。データバス５２には画像処理手段１６が接続される。画像処理手段１６は、コントローラ制御ＣＰＵ６１、ＤＲＡＭ制御ＩＣ６２、画像メモリ６３及びＬＡＮＩＦ部６４を有して構成される。ＬＡＮＩＦ部６４の一端は外部機器、例えば、パーソナルコンピュータ（以下パソコン２００という）に接続される。ＬＡＮＩＦ部６４の他端はＤＲＡＭ制御ＩＣ６２の一端に接続される。
【００５５】
ＬＡＮＩＦ部６４の他端は、ＤＲＡＭ制御ＩＣ６２の一端に接続される。ＤＲＡＭ制御ＩＣ６２の他端は、データバス５２に接続される。ＤＲＡＭ制御ＩＣ６２は更にコントローラ制御ＣＰＵ６１及び画像メモリ６３に接続される。画像処理手段１６では、ＬＡＮＩＦ部６４を介してパソコン２００から受信した画像データＤINをＤＲＡＭ制御ＩＣ６２に転送する。
【００５６】
ＤＲＡＭ制御ＩＣ６２は、コントローラ制御ＣＰＵ６１の制御を受けて画像メモリ６３に一旦記憶する。これにより、スキャナ１０２から得られた画像データＤINに限られることなく、パソコン２００から取り込んだ画像データＤINについても、トンボ付与モードを実行できるようになる。なお、書き込み処理部５７で行っているトンボ付与モードを画像処理手段１６で実行してもよい。これらにより、カラー複写機１００の制御系を構成する。
【００５７】
続いて、図２を参照して、トンボ付与処理ブロック＃１の制御系の構成例について説明する。図２に示すトンボ付与処理ブロック＃１は、図１に示したカラー複写機１００からトンボ付与処理に係る制御ブロックを抽出したものである。トンボ付与処理ブロック＃１は、断裁マークデータＤＴに基づくトンボマークを、画像データＤOUTに基づく出力画像Ｇ上にオーバーレイ処理して、マーク付きの出力画像Ｇを用紙Ｐに描画するために、画像メモリ５３、ＤＲＡＭ制御ＩＣ５６及び書き込み処理部５７を有して構成される。
【００５８】
画像メモリ５３内にはサブメモリ３１及びページメモリ３２が設けられる。サブメモリ３１にはトンボマークを描画するための、例えば、４種類のトンボマークパターンＰ１〜Ｐ４の断裁マークデータＤＴが記憶される。ページメモリ３２には、例えば、カラー原稿から読み取った、１ページの出力画像Ｇを構成する画像データＤOUTが記憶される。
【００５９】
画像メモリ５３にはメモリ制御回路を構成するＤＲＡＭ制御ＩＣ５６が接続される。ＤＲＡＭ制御ＩＣ５６は、画像出力時、ページメモリ３２を順次アクセス（読み出し処理を順次実行）して、画像データＤOUTを読み出し、特定アドレス上では、サブページを読み出すようになされる。特定アドレスとは、出力画像Ｇの四隅のうち１箇所を拡大してメモリ領域に展開した際に、その拡大されたメモリ領域にウインドウを設定することにより画定される抽出範囲を示す位置座標等をいう。
【００６０】
ＤＲＡＭ制御ＩＣ５６には書き込み処理部５７が接続される。書き込み処理部５７は、トリミング回路７１及びマージ回路７２を有している。トリミング回路７１は、強調処理部の一例を構成し、操作表示部４８によって受け付けられた設定データＤ５４に基づいて、ＤＲＡＭ制御ＩＣ５６によって抽出された出力画像Ｇとトンボマークとが重なる部分を強調処理する。例えば、トリミング回路７１はＤＲＡＭ制御ＩＣ５６の読み出し制御を受けて、画像メモリ５３から読み出された出力画像Ｇをトリミング処理する。このトリミング処理はトンボマークを強調するためである。
【００６１】
トリミング回路７１及びＤＲＡＭ制御ＩＣ５６にはマージ回路７２が接続される。マージ回路７２も、強調処理部の一例を構成し、操作表示部４８によって受け付けられた設定データＤ５４に基づいてトンボマークＴ１６を構成する線を拡幅する。例えば、マージ回路７２は、ページメモリ３２から読み出された出力画像Ｇに対し、サブメモリ３１から読み出されたトンボマークのオーバーレイ処理やオーバーライト処理等を実行する。オーバーレイ処理やオーバーライト処理等は、特定アドレスよって画定された抽出範囲の出力画像Ｇにトンボマークを重ね合わせるためである。マージ回路７２（重ね合わせ）には加算回路や、ＯＲ回路、ＡＮＤ回路、ＥＯＲ回路等が使用される。
【００６２】
この例では、マージ回路７２によって、オーバーレイ処理や、オーバーライト処理されるサブページ上の出力画像Ｇに対してビット毎に背景の色や、トンボマークの色や、他のサブページと重なった場合の優先度を指定可能となされている。例えば、サブページにおいて、１画素を２ｂｉｔで表現する場合であって、ビット［００］は、ページメモリ３２の画素（階調レベル）を使用し、ビット［０１］は、背景を白色で上塗りし、ビット［１０］は、トンボマークを黒色で上塗し、ビット［１１］は、トンボマークを黒で上塗する際に、他のサブページと重なった場合に対して優先するように定義（設定）される。これらにより、トンボ付与処理ブロック＃１の制御系を構成する。
【００６３】
ここで、図３を参照して、記録紙Ｐ’におけるトンボマークの形成例について説明する。この例では、図３に示す４つのトンボマークＴ１〜Ｔ４が記録紙Ｐ’に形成される。トンボマークＴ１は記録紙Ｐ’の右上部隅に形成される。トンボマークＴ２は記録紙Ｐ’の右下部隅に形成される。トンボマークＴ３は記録紙Ｐ’の左下部隅に形成される。トンボマークＴ４は記録紙Ｐ’の左上部隅に形成される。
【００６４】
また、図中のＧは出力画像である。図中の出力画像Ｇの外周から外側に入り出した破線部分は、出力画像Ｇの塗り足し領域である。図中の出力画像Ｇを画定する実線は、断裁線である。この例では、紙面の横方向をＸ方向とし、その縦方向をＹ方向として定義したとき、Ｘ方向において、断裁時、出力画像Ｇを残す部分を「内側」とし、切り落とす部分を「外側」としている。Ｙ方向においても、断裁時、出力画像Ｇを残す部分を「内側」とし、切り落とす部分を「外側」としている。
【００６５】
トンボマークＴ１〜Ｔ４の各々は、内トンボＴｉ及び、外トンボＴｏの２要素から構成されている（図５等参照）。内トンボＴｉは、上述で定義した「内側」に接して形成され、Ｗ字形状を有している。内トンボＴｉは断裁時の裁断刃の一方の側を画定する。外トンボＴｏは、同定義の「外側」に接して形成され、Ｌ字形状を有している。外トンボＴｏは、その裁断刃の他方の側を画定する。トンボマークＴｘは、内トンボＴｉのＷ字形状の折れ曲がり部位と、外トンボＴｏのＬ字形状の折れ曲がり部位とを角部で突き合わせるように接続した形状を成している。
【００６６】
なお、記録紙Ｐ’上のトンボマークＴ１−Ｔ２間、トンボマークＴ２−Ｔ３間、トンボマークＴ３−Ｔ４間及び、トンボマークＴ４−Ｔ１間に設けられた十字マークは、当該記録紙Ｐ’に形成された出力画像ＧのＸ方向や、Ｙ方向等の中央部位を示す位置識別マークである。これらにより、記録紙Ｐ’上の四隅にトンボマークＴ１〜Ｔ４が形成される。
【００６７】
続いて、図４を参照して、操作表示部４８におけるトンボ強調設定画面Ｇ１の表示例にいて説明する。図４に示すトンボ強調設定画面Ｇ１は、図１に示した操作表示部４８の表示部１８に表示される。トンボ強調設定画面Ｇ１は、操作表示部４８において、例えば、図示しないメニュー画面等でトンボ付与モードを選択し、そのトンボ付与モードの表示項目の中で、「トンボマーク強調設定を実行する」等の指定用のアイコンボタンを選択押下することで、操作画面が切り替わって表示される。
【００６８】
トンボ強調設定画面Ｇ１には、「トンボマーク強調設定」を示す文字情報が表示される。トンボマーク強調設定の文字情報の下方には「色強調」や、「太さ変更」、「線延長」及び、「トリミング」等の設定内容が表示される。
【００６９】
この例では、トンボマークＴ１〜Ｔ４の色強調の設定項目に対して、「ＯＮ」や、「ＯＦＦ」等の設定値が並設されて表示される。色強調を設定する場合は、ＯＮが選択押下（タッチ；クリック）される。トンボマークＴ１〜Ｔ４の太さ変更の設定項目に対しては、「０ｍｍ」等の設定値が入力可能に表示される。トンボマークＴ１〜Ｔ４の太さ変更を設定する場合は、所望の設定値「○○ｍｍ」が入力される。
【００７０】
トンボマークＴ１〜Ｔ４の線延長の設定項目に対しては、「０ｍｍ」等の設定値が入力可能に表示される。線延長を設定する場合は、所望の設定値「○○ｍｍ」が入力される。トンボマークＴ１〜Ｔ４のサブページのトリミングの設定項目に対しては、「ＯＮ」や、「内トンボ」、「ＯＦＦ」等が並設して表示される。
【００７１】
「内トンボ」の下方にはトリミング量の設定項目に対して「０ｍｍ」等の設定値が入力可能に表示される。このトリミング量は、内トンボＴｉの周辺の背景をトリミング処理する量である。トリミング量を設定する場合は、所望の設定値「○○ｍｍ」が入力される。これらにより、トンボ強調設定画面Ｇ１を構成し、トンボ付与モード時、当該トンボ強調設定画面Ｇ１において、トンボ強調のための設定項目を任意に入力（指定）できるようになる。
【実施例１】
【００７２】
続いて、図５及び図６を参照して、第１の実施例に係るトンボ周辺トリミング例について説明する。この例では、図５に示すように出力画像Ｇに対して、既に塗り足し処理が行われており、この出力画像Ｇが塗り足し分だけ大きくなっているので、トンボマークＴ１７が出力画像Ｇの内側に作成される。そこで、トンボマーク周辺の出力画像Ｇをトリミング処理することで、トンボマークＴ１１を強調できるようにした。
【００７３】
図２に示したトンボ付与処理ブロック＃１によれば、書き込み処理部５７のトリミング回路７１が、操作表示部４８によって受け付けられた設定データＤ５４に基づいて、出力画像Ｇの塗り足し領域IIにおけるトンボマークＴ１１の周辺をトリミング処理する。塗り足し領域IIは操作表示部４８によって受け付けられた設定データＤ５４に基づいて出力画像Ｇの外周部位の外側に形成されている。図５に示すＩは断裁線であり、IIは塗り足し領域（跳ねだし距離）である。
【００７４】
トンボマークＴ１１は図５に示すように記録紙Ｐ’の右上部隅に形成され、Ｗ形状の内トンボＴｉ及びＬ形状の外トンボＴｏから構成される。内トンボＴｉや外トンボＴｏ等は、線幅をｗとしたとき、ｗ＝０．８ｍｍ（６００ｄｐｉ／２ライン）程度である。線幅ｗはユーザが任意に設定できるようになっている。内トンボＴｉと外トンボＴｏとの間は、断裁機の刃幅にもよるが、１ｍｍ乃至１０ｍｍ程度まで設定可能となされている。
【００７５】
この例では、出力画像ＧとトンボマークＴ１３とが重なる部分において、外トンボＴｏ，Ｔｏによって区切られる塗り足し領域IIの出力画像Ｇ１１と、その内トンボＴｉと外トンボＴｏとによって仕切られる２つの塗り足し領域IIの出力画像Ｇ１２，Ｇ１３と、内トンボＴｉ，Ｔｉの各々が「内側」に接する塗り足し領域IIの出力画像Ｇ１４，Ｇ１５の五箇所がトリミング処理されている。このようなトンボマークＴ１１は、図６Ａに示すようなトンボマークパターンＰ１から構成される。
【００７６】
ここで、図６Ａ〜図６Ｃを参照して、トンボマークパターンＰ１の作成例について説明する。図５に示したトンボマークＴ１１を形成するためには、図６Ａに示すようなトンボマークパターンＰ１を準備する。トンボマークパターンＰ１は、図６Ｂに示す矩形パターンＰ１１と図６Ｃに示す矩形パターンＰ１２とを合成（Ｐ１＝Ｐ１１＋Ｐ１２）して作成される。
【００７７】
図６Ｂにおいて、矩形パターンＰ１１は、断裁マークデータＤＴにおいて、ビット［０１］及びビット［１０］が設定される。矩形パターンＰ１１の背景はビット［０１］の白色で上塗りされ、内トンボＴｉ及び外トンボＴｏは、ビット［１０］の黒色に塗られる。矩形パターンＰ１１において、内トンボＴｉ及び外トンボＴｏはＦ字形状を寝かせたような状態で描画される。内トンボＴｉの左端部にはトリミング領域が付加されている。
【００７８】
矩形パターンＰ１２は、断裁マークデータＤＴにおいて、ビット［０１］及びビット［１１］が設定される。矩形パターンＰ１２の背景はビット［０１］の白色で上塗りされ、内トンボＴｉは、ビット［１１］で他のサブページと重なった場合に対して優先的に黒色に塗られる。矩形パターンＰ１２において、Ｌ字形状は、縦（Ｙ方向）の長さが横（Ｘ方向）の長さに比べて短くなっている。内トンボＴｉの下方にはトリミング領域が付加されている。
【００７９】
これにより、図６Ａに示したような白色の背景に黒色の内トンボＴｉ及び外トンボＴｏを描画したサブページを作成できるようになる。書き込み処理部５７は、設定データＤ５４に基づく、トンボマークパターンＰ１＝Ｐ１１＋Ｐ１２を利用して、図５に示したトンボマーク周辺の出力画像Ｇ１１〜Ｇ１５のトリミング処理を実行する。
【００８０】
このように第１の実施例に係るカラー複写機１００によれば、トンボ付与処理ブロック＃１が備えられ、そのＤＲＡＭ制御ＩＣ５６が断裁位置を示すトンボマークパターンＰ１が付加された出力画像Ｇを構成する画像データＤOUTを入力し、画像データＤOUTから出力画像ＧとトンボマークＴ１１とが重なる部分を抽出する。操作表示部４８は、ＤＲＡＭ制御ＩＣ５６によって抽出された出力画像ＧとトンボマークＴ１１とが重なる部分を強調するための設定データＤ５４を受け付ける。
【００８１】
プリンタ８０は、出力画像ＧとトンボマークＴ１１とを重ねた部分が強調された出力画像Ｇを形成する。これを前提にして、トリミング回路７１が操作表示部４８によって受け付けられた設定データＤ５４に基づいて出力画像ＧとトンボマークとＴ１１が重なる部分を強調処理するようになされる。
【００８２】
従って、出力画像ＧとトンボマークＴ１１とが重なる部分の該出力画像Ｇに対してトンボマークＴ１１を強調できるので、裁断時の基準位置を明確に認識できるようになる。しかも、出力画像Ｇに対して塗り足し領域が設定された場合において、トンボマークＴ１１が隠蔽されることなく、トンボマークＴ１１を強調できるようになる。これにより、断裁時の作業性を向上できると共に断裁機による不良出力を防止できるようになる。
【実施例２】
【００８３】
続いて、図７及び図８を参照して、第２の実施例に係るトンボ周辺トリミング例について説明する。この例では、トンボマーク周辺の出力画像Ｇをトリミング処理する際に、内トンボＴｉのＸ，Ｙ方向の「内側」をトリミング処理することで、トンボマークＴ１２を更に強調できるようにした。
【００８４】
図２に示したトンボ付与処理ブロック＃１によれば、書き込み処理部５７のトリミング回路７１が、操作表示部４８によって受け付けられた設定データＤ５４に基づいて、内トンボＴｉについては当該内トンボＴｉよりも、画像領域と反対側を、外トンボＴｏについては当該外トンボＴｏよりも、画像領域側及び当該画像領域と反対側のいずれもトリミング処理する。
【００８５】
例えば、トンボマークＴ１２は記録紙Ｐ’の右上部隅に形成され、Ｗ形状の内トンボＴｉ及びＬ形状の外トンボＴｏから構成される。この例では、図７に示す出力画像ＧとトンボマークＴ１３とが重なる部分において、外トンボＴｏ，Ｔｏによって区切られる塗り足し領域IIの出力画像Ｇ２１と、その内トンボＴｉと外トンボＴｏとによって仕切られる２つの塗り足し領域IIの出力画像Ｇ２２，Ｇ２３と、内トンボＴｉ，ＴｉがＸ，Ｙ方向の各々の「内側」に接する塗り足し領域IIのＷ字状の出力画像Ｇ２４の四箇所がトリミング処理されている。このようなトンボマークＴ１２は、図８Ａに示すようなトンボマークパターンＰ２から構成される。
【００８６】
ここで、図８Ａ〜図８Ｃを参照して、トンボマークパターンＰ２の作成例について説明する。図７に示したトンボマークＴ１２を形成するためには、図８Ａに示すようなトンボマークパターンＰ２を準備する。トンボマークパターンＰ２は、図８Ｂに示す矩形パターンＰ２１と図８Ｃに示す矩形パターンＰ２２とを合成（Ｐ２＝Ｐ２１＋Ｐ２２）して作成される。
【００８７】
図８Ｂにおいて、矩形パターンＰ２１は、断裁マークデータＤＴにおいて、ビット［０１］及びビット［１０］が設定される。矩形パターンＰ２１の背景はビット［０１］の白色で上塗りされ、内トンボＴｉ及び外トンボＴｏは、ビット［１０］の黒色に塗られる。矩形パターンＰ２１において、内トンボＴｉ及び外トンボＴｏはＦ字形状を寝かせたような状態に描画される。Ｙ方向の外トンボＴｏは、第１の実施例と異なり、Ｘ方向の外トンボＴｏと交差する形態になっている。Ｘ方向の外トンボＴｏと当該外トンボＴｏが延在する部分の下方にはトリミング領域が付加されている。
【００８８】
矩形パターンＰ２２は、断裁マークデータＤＴにおいて、ビット［０１］及びビット［１１］が設定される。矩形パターンＰ２２の背景はビット［０１］の白色で上塗りされ、内トンボＴｉは、ビット［１１］で他のサブページと重なった場合に対して優先的に黒色に塗られる。矩形パターンＰ２２において、Ｌ字形状は、縦（Ｙ方向）の長さが横（Ｘ方向）の長さに比べて短くなっている。Ｘ方向の内トンボＴｉの左端部とＹ方向の内トンボＴｉの下方にはトリミング領域が付加されている。
【００８９】
これにより、図８Ａに示したような白色の背景に黒色の内トンボＴｉ及び外トンボＴｏを描画したサブページを作成できるようになる。書き込み処理部５７は、設定データＤ５４に基づく、トンボマークパターンＰ２＝Ｐ２１＋Ｐ２２を利用して、図７に示したトンボマーク周辺の出力画像Ｇ２１〜Ｇ２４のトリミング処理を実行する。
【００９０】
このように第２の実施例に係るカラー複写機１００によれば、塗り足し領域IIの出力画像ＧのトンボマークＴ１２の周辺を設定データＤ５４に基づいてトリミング処理することで、断裁時、出力画像ＧとトンボマークＴ１２とが重なる部分において、トンボマークＴ１２等を更に容易に確認できるようになる。これにより、第１の実施例と同様にして、断裁時の作業性を向上できると共に断裁機による不良出力を防止できるようになる。
【実施例３】
【００９１】
続いて、図９を参照して、第３の実施例に係るトンボ周辺トリミング例について説明する。この例では、第１及び第２の実施例と異なり、図９に示す出力画像ＧとトンボマークＴ１３とが重なる部分において、内トンボＴｉを基準にし、当該内トンボＴｉの内側は、トリミング処理を行わず、外トンボＴｏ，Ｔｏによって区切られる塗り足し領域IIの出力画像Ｇ３１と、その内トンボＴｉと外トンボＴｏとによって仕切られる２つの塗り足し領域IIの出力画像Ｇ３２，Ｇ３３の三箇所をトリミング処理するようになされる。このようなトンボマークＴ１３は、図１０Ａに示すようなトンボマークパターンＰ３から構成される。
【００９２】
ここで、図１０Ａ〜図１０Ｃを参照して、トンボマークパターンＰ３の作成例について説明する。図９に示したトンボマークＴ１３を形成するためには、図１０Ａに示すようなトンボマークパターンＰ３を準備する。トンボマークパターンＰ３は、図１０Ｂに示す矩形パターンＰ３１と図１０Ｃに示す矩形パターンＰ３２とを合成（Ｐ３＝Ｐ３１＋Ｐ３２）して作成される。
【００９３】
図１０Ｂにおいて、矩形パターンＰ３１は、断裁マークデータＤＴにおいて、ビット［１］及びビット［２］が設定される。矩形パターンＰ３１の背景はビット［１］の白色で上塗りされ、内トンボＴｉ及び外トンボＴｏは、ビット［２］の黒色に塗られる。矩形パターンＰ３１において、内トンボＴｉ及び外トンボＴｏはＦ字形状を寝かせたような状態に描画される。
【００９４】
矩形パターンＰ３２は、断裁マークデータＤＴにおいて、ビット［１］及びビット［２］が設定される。矩形パターンＰ３２の背景はビット［１］の白色で上塗りされ、内トンボＴｉは、ビット［２］で黒色に塗られる。内トンボＴｉはＬ字形状に描画される。矩形パターンＰ３２において、Ｌ字形状は、縦（Ｙ方向）の長さが横（Ｘ方向）の長さに比べて短くなっている。Ｘ方向の内トンボＴｉの左端部とＹ方向の内トンボＴｉの下方には、第２の実施例のようなトリミング領域が付加されていない。
【００９５】
これにより、図１０Ａに示したような白色の背景に黒色の内トンボＴｉ及び外トンボＴｏを描画したサブページを作成できるようになる。書き込み処理部５７では、トリミング回路７１が設定データＤ５４に基づく、トンボマークパターンＰ３＝Ｐ３１＋Ｐ３２を利用して、図９に示したトンボマーク周辺の出力画像Ｇ３１〜Ｇ３３のトリミング処理を実行する。
【００９６】
このように第３の実施例に係るカラー複写機１００によれば、塗り足し領域IIの出力画像ＧのトンボマークＴ１３の周辺を設定データＤ５４に基づいてトリミング処理することで、断裁時、出力画像ＧとトンボマークＴ１３とが重なる部分において、トンボマークＴ１３を強調できるので、更にトンボマークＴ１３を容易に確認できるようになる。しかも、断裁時、塗り足し領域IIが欠落することを防止（白抜き防止）できる。これにより、第１及び第２の実施例と同様にして、断裁時の作業性を向上できると共に断裁機による不良出力を防止できるようになる。
【実施例４】
【００９７】
続いて、図１１及び図１２を参照して、第４の実施例に係るトンボ周辺トリミング例について説明する。この例では、第１〜第３の実施例と異なり、出力画像ＧとトンボマークＴ１３とが重なる部分において、内トンボＴｉの内側もトリミング処理が行なわれる。
【００９８】
図１１に示すトンボ周辺トリミング例によれば、外トンボＴｏ，Ｔｏによって区切られる塗り足し領域IIの出力画像Ｇ４１と、その内トンボＴｉと外トンボＴｏとによって仕切られる２つの塗り足し領域IIの出力画像Ｇ４２，Ｇ４３と、内トンボＴｉの内側の塗り足し領域IIの出力画像Ｇ４４，Ｇ４５の五箇所をトリミング処理するようになされる。
【００９９】
出力画像Ｇ４４は、Ｘ方向の外トンボＴｏを仮に左端側に延長した線（以下仮想延長線という）を境界にして、この仮想延長線で区切られる内トンボＴｉの内側の塗り足し領域IIである。出力画像Ｇ４５は、Ｙ方向の外トンボＴｏを仮に下端側に延長した線（以下仮想延長線という）を境界にして、この仮想延長線で区切られる内トンボＴｉの内側の塗り足し領域IIである。塗り足し領域IIの出力画像Ｇ４４，Ｇ４５をトリミング処理することで、出力画像Ｇの印字率を下げることができる。このようなトンボマークＴ１４は、図１２Ａに示すようなトンボマークパターンＰ４から構成される。
【０１００】
ここで、図１２Ａ〜図１２Ｃを参照して、トンボマークパターンＰ４の作成例について説明する。図１１に示したトンボマークＴ１４を形成するためには、図１２Ａに示すようなトンボマークパターンＰ４を準備する。トンボマークパターンＰ４は、図１２Ｂに示す矩形パターンＰ４１と図１２Ｃに示す矩形パターンＰ４２とを合成（Ｐ４＝Ｐ４１＋Ｐ４２）して作成される。
【０１０１】
図１２Ｂにおいて、矩形パターンＰ４１は、断裁マークデータＤＴにおいて、ビット［００］及びビット［０１］が設定される。矩形パターンＰ４１の背景は、ビット［００］のページメモリ３２に記録された画素の色でオーバーレイ処理され、内トンボＴｉ及び外トンボＴｏは、ビット［１０］の黒色に塗られる。矩形パターンＰ４１において、内トンボＴｉ及び外トンボＴｏはＦ字形状を寝かせたような状態に描画される。
【０１０２】
矩形パターンＰ４２は、断裁マークデータＤＴにおいて、ビット［００］及びビット［１０］が設定される。矩形パターンＰ４２の背景は、ビット［００］のページメモリ３２に記録された画素の色でオーバーレイ処理され、内トンボＴｉは、ビット［１０］で黒色に塗られる。内トンボＴｉはＬ字形状に描画される。矩形パターンＰ４２において、Ｌ字形状は、縦（Ｙ方向）の長さが横（Ｘ方向）の長さに比べて短くなっている。この例では、Ｙ方向の内トンボＴｉの左端部及びＸ方向の内トンボＴｉの下方には、第２の実施例のようなトリミング領域が付加されていない。
【０１０３】
これにより、図１２Ａに示したようなページメモリ３２に記録された画素の色の背景に黒色の内トンボＴｉ及び外トンボＴｏを描画したサブページを作成できるようになる。書き込み処理部５７では、トリミング回路７１が設定データＤ５４に基づく、トンボマークパターンＰ４＝Ｐ４１＋Ｐ４２を利用して、図１１に示したトンボマーク周辺の出力画像Ｇ４１〜Ｇ４５のトリミング処理を実行する。その際に、内トンボＴｉ及び外トンボＴｏをビット２の黒色で上塗りとして描画し、マージ回路７２で適切な位置で背景をマージすることで、トンボマークＴ１４をオーバーレイ描画できるようになる。
【０１０４】
このように第４の実施例に係るカラー複写機１００によれば、塗り足し領域IIの出力画像ＧのトンボマークＴ１４の周辺を設定データＤ５４に基づいてトリミング処理することで、出力画像Ｇの印字率を下げると共に、断裁時、出力画像ＧとトンボマークＴ１４とが重なる部分において、トンボマークＴ１４を強調できるので、更にトンボマークＴ１４を容易に確認できるようになる。これにより、第１〜第３の実施例と同様にして、断裁時の作業性を向上できると共に断裁機による不良出力を防止できるようになる。
【０１０５】
上述した第１〜第４の実施例では、ソフトウエアによりサブページ上に作成した、トンボマークＴ１１〜Ｔ１４を重ね書き処理して出力することにより、トンボマークＴ１１〜Ｔ１４を用紙Ｐに印字する場合を説明したが、これに限られることはない。例えば、予めハードウエアで用意したトンボマークパターンＰ１〜Ｐ４を出力することにより、ソフトウエアでトンボマークパターンＰ１〜Ｐ４のいずれかを選択して重ね書き処理してもよい。
【実施例５】
【０１０６】
続いて、図１３及び図１４を参照して、第５の実施例に係るトンボ強調例（その１，２）について説明する。第５の実施例では、塗り足し領域IIの出力画像ＧとトンボマークＴ１５とが重なる部分において、トンボマークＴ１５の周辺の出力画像Ｇをトリミング処理せずに、トンボマークＴ１５の寸法を延ばす（延伸処理）ことで、マーク強調を図り、断裁時の基準が明確になるようにした。
【０１０７】
図２に示したＤＲＡＭ制御ＩＣ５６は、操作表示部４８によって受け付けられた設定データＤ５４に基づいて塗り足し領域IIよりも外側にトンボマークＴ１５が表示されるようにマージ回路７２を制御する（延伸処理）。図１３に示すトンボマークＴ１５はデフォルトである。トンボマークＴ１５を構成する内トンボＴｉ及び外トンボＴｏは共に、出力画像Ｇの断裁線Ｉから外周部位に張り出した塗り足し領域II内に収まって（埋もれて）いる。これに対して、図１４に示すトンボマークＴ１５’は、トンボマークＴ１５から寸法が延長されたものである。
【０１０８】
トンボマークＴ１５’によれば、内トンボＴｉ及び外トンボＴｏは共に塗り足し領域IIを越えて外側に延長している。例えば、Ｘ方向の内トンボＴｉは、塗り足し領域IIの外周部位から距離ｘｉだけ寸法が延びている。Ｘ方向の外トンボＴｏは、塗り足し領域IIの外周部位から距離ｘｏだけ寸法が延びている。Ｙ方向の内トンボＴｉは、塗り足し領域IIの外周部位から距離ｙｉだけ寸法が延びている。Ｙ方向の外トンボＴｏは、塗り足し領域IIの外周部位から距離ｙｏだけ寸法が延びている。
【０１０９】
この例では、塗り足し領域IIから外側へはみ出す内トンボＴｉ及び外トンボＴｏの寸法を指定できるようになっている。寸法の指定は、図４に示したトンボ強調設定画面Ｇ１を操作表示部４８に表示し、その操作画面で「太線延長」の設定値を入力するようになされる。これにより、張り出し許容範囲内で任意に寸法を設定できるようになる。
【０１１０】
このように第５の実施例に係るカラー複写機１００によれば、トンボ強調設定画面Ｇ１を表示した操作表示部４８の操作画面で「太線延長」の設定値を入力すると、図２に示したＤＲＡＭ制御ＩＣ５６が、操作表示部４８によって受け付けられた設定データＤ５４に基づいて塗り足し領域IIの出力画像Ｇの周囲を貫くトンボマークＴ１５’を付加するようにマージ回路７２を制御する（延伸処理）。
【０１１１】
この制御によって、マージ回路７２により、必ず出力画像Ｇの外周部位から外側へ突出するようなトンボマークＴ１５’を自動的に付与（延長）できるようになる。トンボマークＴ１５の寸法を延ばすことで、断裁時の基準が明確になる。なお、トンボマークＴ１５の周辺の出力画像Ｇはトリミング処理されない。
【実施例６】
【０１１２】
続いて、図１５を参照して、第６の実施例に係るトンボ強調例について説明する。この例では、トンボマークＴ１６の線の太さが細い場合に、これを構成する内トンボＴｉ及び外トンボＴｏの線の太さを変更できるようにした。
【０１１３】
図２に示したＤＲＡＭ制御ＩＣ５６は、操作表示部４８によって受け付けられた設定データＤ５４に基づいて内トンボＴｉについては当該画像領域と反対側に内トンボＴｉを構成する線を拡幅し、かつ、外トンボＴｏについては当該画像領域側及び当該画像領域と反対側に外トンボＴｏを構成する線を拡幅するようにマージ回路７２を制御する。図１５に示す破線で囲んだ領域IIIは、トンボマークＴ１６の形成位置を示し、メモリ領域上では、トンボマークパターンを抽出する抽出範囲（以下で抽出領域IIIともいう）でもある。
【０１１４】
図１５に示すトンボマークＴ１６によれば、その内トンボＴｉを内側に太らせることにより、断裁基準位置が変わらないようにしている。例えば、Ｙ方向の内トンボＴｉの右辺側（外側）を寸法α（以下で延長幅αという）だけ拡幅させ（太らせ）ている。内トンボＴｉの元の線幅をｗとし、延長幅をαとし、変更後の線幅ｗ’としたとき、線幅ｗ’はｗ＋αとなる。Ｘ方向の内トンボＴｉの上辺側についても、同様に線の太さが変更される。
【０１１５】
外トンボＴｏについては、線の両側を拡幅している。例えば、Ｙ方向の外トンボＴｏの右辺側（外側）及び左辺側（内側）を寸法β（以下で延長幅βという）ずつ拡幅させ（太らせ）ている。外トンボＴｏの元の線幅をｗとし、延長幅をβとし、変更後の線幅ｗ”としたとき、線幅ｗ”はｗ＋２βとなる。Ｘ方向の外トンボＴｏの上辺側及び下辺側についても、同様に線の太さが変更される。
【０１１６】
寸法α、βの指定は、図４に示したトンボ強調設定画面Ｇ１を操作表示部４８に表示し、その操作画面で「太さ変更」の設定値を入力するようになされる。これにより、張り出し許容範囲内で任意に寸法を設定できるようになる。
【０１１７】
このように第６の実施例に係るカラー複写機１００によれば、トンボ強調設定画面Ｇ１を表示した操作表示部４８の操作画面で「太さ変更」の設定値を入力すると、図２に示したＤＲＡＭ制御ＩＣ５６が、操作表示部４８によって受け付けられた設定データＤ５４に基づいてトンボマークパターンの抽出領域IIIをメモリ領域に画定する。この抽出領域IIIで、マージ回路７２がトンボマークＴ１６の線を太くするような処理を実行する。
【０１１８】
この処理によって、内トンボＴｉの線の外側が拡幅され、外トンボＴｏの線の両側が拡幅されることで、特に塗り足し領域IIが不要な場合や、記録紙Ｐ’の四隅付近に出力画像Ｇが形成されない場合等において、トンボマークＴ１６を強調できるようになる。
【実施例７】
【０１１９】
続いて、図１６を参照して、第７の実施例に係るトンボ強調例について説明する。この例では、塗り足し領域IIの出力画像ＧとトンボマークＴ１７とが重なる部分において、トンボマークＴ１７の色を出力画像Ｇと補色の関係にある色に変更できるようにした。
【０１２０】
図１６に示すトンボマークＴ１７によれば、図中、梨地に示す部分が出力画像Ｇと補色の関係にある色に変更され、出力画像Ｇの色に対して目立つ色になっている。例えば、出力画像Ｇが紫色系であったら、その補色となる黄色系でトンボマークＴ１７を形成するように色を設定する。赤色系の出力画像Ｇに対して緑色系のトンボマークＴ１７を形成し、青色系の出力画像Ｇに対して橙色系のトンボマークＴ１７を形成するようになされる。
【０１２１】
トンボマークＴ１７を目立つ色にしたのは、自動認識型の断裁機において、記録紙Ｐ’の被断裁位置が検出され、この被断裁位置に断裁刃を位置合わせする場合や、手動型の断裁機において、人間が目視で断裁刃を記録紙Ｐ’に位置合わせする場合に、当該トンボマークＴ１７を認識し易くしたためである。
【０１２２】
塗り足し領域IIの出力画像ＧとトンボマークＴ１７とが重なる部分の色の指定は、図４に示したトンボ強調設定画面Ｇ１を操作表示部４８に表示し、その操作画面で、例えば、「色強調」の設定項目において、設定値「ＯＮ」を選択押下させる。その後、図示しないポップアップ画面等に、「塗り足し領域IIの出力画像ＧとトンボマークＴ１７とが重なる部分の色を補色に設定しますか」等の文字情報と共に、選択を「ＯＮ  ＯＦＦ」させるアイコンを表示して、当該アイコンを選択押下させるようにするとよい。図２に示したＤＲＡＭ制御ＩＣ５６は、操作表示部４８によって受け付けられた設定データＤ５４に基づいてトンボマークＴ１７の色を塗り足し領域IIの色と補色の関係にある色に変更するようになる。
【０１２３】
このように第７の実施例に係るカラー複写機１００によれば、トンボ強調設定画面Ｇ１を表示した操作表示部４８の操作画面で「色強調」の設定項目で「ＯＮ」を選択すると、図２に示したＤＲＡＭ制御ＩＣ５６が、塗り足し領域IIの出力画像ＧとトンボマークＴ１７とが重なる部分において、操作表示部４８によって受け付けられた設定データＤ５４に基づいてトンボマークの色を出力画像Ｇと補色の関係にある色に変更するようになる。このとき、操作表示部４８でトンボマークパターン自体をＸ方向，Ｙ方向にシフトするように指示してもよい。
【０１２４】
この処理によって、出力画像Ｇとトンボマークとが重なった部分の背景色に対して、目立つ色（補色関係）でトンボマークＴ１７を形成することができ、当該トンボマークＴ１７を強調できるようになる。これにより、塗り足し領域IIのトリミング処理を省略できるし、塗り足し領域IIを多く張り出して大きめに出力画像Ｇを形成できるようになる。
【０１２５】
続いて、図１７及び図１８を参照して、本発明に係る実施形態としての画像形成方法に関して、トンボ付与モード時の制御例（その１、２）について説明する。この例では、プリンタ側でトンボマークＴ１１〜Ｔ１７の一つトンボマークＴｘを付与する場合、図１に示したスキャナ１０２又はパソコン２００から転送されてきた出力画像Ｇに対してトンボマークＴｘを付与する場合を前提とする。
【０１２６】
カラー複写機１００では、画像サイズを仕上がりの出力画像Ｇの寸法としてプリンタ側でトンボマーク位置を算出し、トンボマークＴｘを付与する、あるいは、操作表示部４８からプリンタ制御部８２へ、予めトンボマークＴｘの形成位置を指示する場合を例に採る。もちろん、図１に示したパソコン２００のプリンタドライバ、もしくは、そのアプリケーション画面からカラー複写機１００へトンボマークＴｘの形成位置を指示しても良い。
【０１２７】
これらを制御条件にして、断裁位置を示すトンボマークＴｘを付加した出力画像Ｇを形成するカラー複写機１００では、図１７に示すステップＳＴ１で画像制御ＣＰＵ５５が画像形成モードを入力する。画像形成モードには、トンボ付与モードや通常動作モード等が含まれている。ユーザは例えば、トンボ付与モードを設定するように操作表示部４８を入力操作する。操作表示部４８は、トンボ付与モードの設定を受け付けると、その設定を示す操作データＤ１４を画像制御ＣＰＵ５５に出力する。
【０１２８】
ステップＳＴ２で画像制御ＣＰＵ５５は、トンボ付与モードが設定された場合、又は、その他のモードが設定された場合に対応して制御を分岐する。このとき、画像制御ＣＰＵ５５は、操作表示部４８から入力した操作データＤ１４を判別してトンボ付与モードが設定されたか、又は、その他のモードが設定されたかを判断する。
【０１２９】
トンボ付与モードが設定された場合は、ステップＳＴ３で画像制御ＣＰＵ５５は、画像データＤINを入力する。画像データＤINは、スキャナ１０２から入力する場合と、パソコン２００から入力する場合のどちらでもよい。画像データＤINは、一旦、画像メモリ５３又は画像処理手段１６の画像メモリ６３に格納される。
【０１３０】
このとき、画像制御ＣＰＵ５５は画像メモリ５３又は６３から画像データＤINを読み出す際に、その出力画像Ｇでデフォルトのトンボマークパターン（例えば、トンボマークＴ１５参照）を付加して画像データＤOUTを作成し、当該画像データＤOUTを書き込み処理部５７へ出力するようにＤＲＡＭ制御ＩＣ５６又は６２を制御する。
【０１３１】
そして、ステップＳＴ４で画像制御ＣＰＵ５５は、出力画像ＧとデフォルトのトンボマークＴｘとが重なる部分を抽出するようにＤＲＡＭ制御ＩＣ５６を制御する。画像データＤOUTを入力したＤＲＡＭ制御ＩＣ５６では、画像データＤOUTから出力画像ＧとデフォルトのトンボマークＴｘとが重なる部分を抽出する。
【０１３２】
次にステップＳＴ５で画像制御ＣＰＵ５５は、出力画像ＧとデフォルトのトンボマークＴｘとが重なる部分が有るか否かに対応して制御を分岐する。このとき、ＤＲＡＭ制御ＩＣ５６は、画像データＤOUTに基づいて出力画像Ｇの四隅のうち１箇所を拡大してメモリ領域に展開する。拡大されたメモリ領域にウインドウを設定することにより抽出範囲を画定する。
【０１３３】
この抽出範囲が画定されたメモリ領域で、四隅の出力画像Ｇを描画する画像データＤINのアドレスと、トンボマークＴｘを描画する断裁マークデータＤＴのアドレスを比較して一致検出を行う。この一致検出の結果から、画像制御ＣＰＵ５５は、出力画像ＧとデフォルトのトンボマークＴｘとが重なる部分が有るか否かを判断できるようになる。
【０１３４】
出力画像ＧとデフォルトのトンボマークＴｘとが重なる部分が有る場合は、ステップＳＴ６に移行する。ステップＳＴ６で画像制御ＣＰＵ５５は、抽出された出力画像ＧとトンボマークＴｘとが重なる部分を強調するための設定データＤ５４を受け付ける。操作表示部４８にはトンボ強調設定画面Ｇ１が表示される。
【０１３５】
その後、ステップＳＴ７で画像制御ＣＰＵ５５はトンボ強調処理を実行するように、ＤＲＡＭ制御ＩＣ５６及び書き込み処理部５７を制御する。書き込み処理部５７ではトリミング回路７１が、受け付けられた設定データＤ５４に基づいて出力画像ＧとトンボマークＴｘとが重なる部分を強調処理する。例えば、図１８に示すサブルーチンをコールして、そのステップＳＴ７１でＤＲＡＭ制御ＩＣ５６は、トンボマークＴｘの色強調が選択されたか否かに基づいて制御を分岐する。このとき、ユーザは、図４に示したトンボ強調設定画面Ｇ１において、操作表示部４８を入力操作して「色強調」の設定項目の設定値を「ＯＮ」する。
【０１３６】
トンボマークＴｘの色強調が選択された場合は、ステップＳＴ７２でトンボマークＴｘの色強調処理を実行するようにマージ回路７２を制御する。図１６に示したトンボマークＴ１７によれば、図中、梨地に示した部分が出力画像Ｇと補色の関係にある色に変更され、出力画像Ｇの色に対して目立つ色に設定される（第７の実施例参照）。
【０１３７】
トンボマークＴｘ等の色強調が選択されない場合は、ステップＳＴ７２をパスしてステップＳＴ７３に移行する。ステップＳＴ７３でＤＲＡＭ制御ＩＣ５６は、トンボマークＴｘの線の太さ変更が選択されたか否かに基づいて制御を分岐する。このとき、ユーザは、図４に示したトンボ強調設定画面Ｇ１で操作表示部４８を入力操作して、「太さ変更」の設定値を入力する。
【０１３８】
トンボマークＴｘの線の太さ変更が選択された場合は、ステップＳＴ７４でＤＲＡＭ制御ＩＣ５６は、トンボマークＴｘの太さ変更処理を実行するようにマージ回路７２を制御する。図１５に示したトンボマークＴ１６の例によれば、マージ回路７２が、内トンボＴｉを内側に太らせることにより、断裁基準位置が変わらないようにしている。例えば、Ｙ方向の内トンボＴｉの右辺側（外側）を延長幅αだけ拡幅させている（第６の実施例参照）。
【０１３９】
トンボマークＴｘの線の太さ変更が選択されていない場合は、ステップＳＴ７４をパスしてステップＳＴ７５に移行する。ステップＳＴ７５でＤＲＡＭ制御ＩＣ５６は、トンボマークＴｘの線延長が選択されているか否かに基づいて制御を分岐する。このとき、ユーザは、図４に示したトンボ強調設定画面Ｇ１で操作表示部４８を入力操作して、「太線延長」の設定値を入力する。
【０１４０】
トンボマークＴｘの線延長が選択された場合は、ステップＳＴ７６でＤＲＡＭ制御ＩＣ５６は、トンボマークＴｘの線延長処理を実行するようにマージ回路７２を制御する。図１３に示したトンボマークＴ１５の例によれば、デフォルトの状態が、図１４に示したトンボマークＴ１５’へ遷移している。トンボマークＴ１５’によれば、内トンボＴｉ及び外トンボＴｏは共に塗り足し領域IIを越えて外側に延長している（第５の実施例参照）。
【０１４１】
トンボマークＴｘの線延長が選択されていない場合は、ステップＳＴ７６をパスしてステップＳＴ７７に移行する。ステップＳＴ７７で、ＤＲＡＭ制御ＩＣ５６はトリミング処理が選択されているか否かに基づいて制御を分岐する。このとき、ユーザは、図４に示したトンボ強調設定画面Ｇ１で操作表示部４８を入力操作して、「トリミング」の設定値「ＯＮ」や「ＯＦＦ」を選択する。
【０１４２】
トリミング処理が選択（ＯＮ）されている場合は、ステップＳＴ７８でＤＲＡＭ制御ＩＣ５６は内トンボＴｉのトリミングの選択か、又は、外トンボＴｏの選択かに基づいて制御を分岐する。このとき、ユーザは、図４に示したトンボ強調設定画面Ｇ１で操作表示部４８を入力操作して、「内トンボ」等の設定項目を選択する。
【０１４３】
内トンボＴｉのトリミング処理が選択された場合は、ステップＳＴ７９でＤＲＡＭ制御ＩＣ５６は画像制御ＣＰＵ５５を介してトリミング量の設定を受け付ける。このとき、ユーザは、図４に示したトンボ強調設定画面Ｇ１で操作表示部４８を入力操作して、「内トンボ」等の設定値「○○ｍｍ」を入力する。設定値「○○ｍｍ」は、図示しない操作表示部４８の数字「０」〜「９」のテンキー、小数点「．」キーを使用して入力する。
【０１４４】
その後、ステップＳＴ８０で書き込み処理部５７のトリミング回路７１は内トンボＴｉのトリミング処理を実行する。図５に示したトンボマークＴ１１の周辺トリミング例によれば、外トンボＴｏ，Ｔｏによって区切られる塗り足し領域IIの出力画像Ｇ１１と、その内トンボＴｉと外トンボＴｏとによって仕切られる２つの塗り足し領域IIの出力画像Ｇ１２，Ｇ１３と、内トンボＴｉ，Ｔｉの各々が「内側」に接する塗り足し領域IIの出力画像Ｇ１４，Ｇ１５の五箇所がトリミング処理されている（第１の実施例参照）。
【０１４５】
また、図７に示したトンボマークＴ１２の周辺トリミング例によれば、外トンボＴｏ，Ｔｏによって区切られる塗り足し領域IIの出力画像Ｇ２１と、その内トンボＴｉと外トンボＴｏとによって仕切られる２つの塗り足し領域IIの出力画像Ｇ２２，Ｇ２３と、内トンボＴｉ，ＴｉがＸ，Ｙ方向の各々の「内側」に接する塗り足し領域IIのＷ字状の出力画像Ｇ２４の四箇所がトリミング処理されている（第２の実施例参照）。
【０１４６】
上述のステップＳＴ７８で外トンボＴｏのトリミング処理が選択されている場合は、ステップＳＴ８１で書き込み処理部５７のトリミング回路７１は外トンボＴｏのトリミング処理を実行する。図９に示したトンボマークＴ１３の周辺トリミング例によれば、内トンボＴｉを基準にし、当該内トンボＴｉの内側は、トリミング処理を行わず、外トンボＴｏ，Ｔｏによって区切られる塗り足し領域IIの出力画像Ｇ３１と、その内トンボＴｉと外トンボＴｏとによって仕切られる２つの塗り足し領域IIの出力画像Ｇ３２，Ｇ３３の三箇所をトリミング処理するようになされる（第３の実施例参照）。
【０１４７】
また、図１１に示したトンボマークＴ１４の周辺トリミング例によれば、外トンボＴｏ，Ｔｏによって区切られる塗り足し領域IIの出力画像Ｇ４１と、その内トンボＴｉと外トンボＴｏとによって仕切られる２つの塗り足し領域IIの出力画像Ｇ４２，Ｇ４３と、内トンボＴｉの内側の塗り足し領域IIの出力画像Ｇ４４，Ｇ４５の五箇所をトリミング処理するようになされる（第４の実施例参照）。その後、メインルーチンのステップＳＴ７にリターンして制御を終了する。
【０１４８】
なお、図１８に示したステップＳＴ７５で出力画像ＧとデフォルトのトンボマークＴｘとが重なる部分が無い場合は、ステップＳＴ７８で画像制御ＣＰＵ５５はＤＲＡＭ制御ＩＣ５６を介して書き込み処理部５７から強調キャンセルの通知を受信してトンボ付与モードに係る制御を終了する。また、ステップＳＴ７２で他のモードが設定された場合は、ステップＳＴ７９に移行して他のモードを実行する。他のモードには、通常動作モードが含まれ、当該通常動作モードを実行して制御を終了する。
【０１４９】
このように、実施形態としての画像形成方法によれば、トンボマークＴ１１〜Ｔ１７を出力画像Ｇに設定するマージ処理の中で、図１７に示したメインフローチャートが実行され、デフォルトのトンボマークＴｘが塗り足し領域IIと重なると判断された場合に、図１８に示したサブルーチンのフローチャートが設定されて、ユーザが設定した通りのトンボ強調処理を実行できるようになる。
【０１５０】
その際に、書き込み処理部５７のトリミング回路７１やマージ回路７２が、操作表示部４８によって受け付けられた設定データＤ５４に基づいて出力画像ＧとトンボマークＴｘとが重なる部分を強調処理するようになされる。
【０１５１】
この強調処理によって、出力画像ＧとトンボマークＴｘとが重なる部分の該出力画像Ｇに対してトンボマークＴｘを強調できるので、裁断時の基準を明確に認識できるようになる。しかも、出力画像Ｇに対して塗り足し領域IIが設定されている場合において、トンボマークＴｘが隠蔽されることなく、トンボマークＴｘを強調できるようになる。これにより、断裁時の作業性を向上できると共に断裁機による不良出力を防止できるようになる。
【０１５２】
上述した第１〜第７の実施例では、プリンタ側でトンボマークＴ１１〜Ｔ１７を付与する場合について説明したが、これに限られることはなく、本発明は、図４に示したパソコン２００のアプリケーション上でトンボマークＴ１１〜Ｔ１７を付与する場合にも適用できる。
【０１５３】
また、トンボ強調処理については、操作表示部４８によりユーザが目的に合わせて設定項目を選択し、あるいは、設定値を入力する場合について説明したが、これに限られない。パソコン２００等のプリンタドライバ画面にトンボ強調設定に係る設定項目を表示し、そのプリンタドライバ画面で設定項目を選択し、あるいは、設定値を入力してもよい。
【産業上の利用可能性】
【０１５４】
この発明は、断裁位置を示すトンボマーク等の断裁マークを出力画像の四隅に付加して画像を形成するカラー複写機や、複合機、プリンタ等に適用して極めて好適なものである。
【符号の説明】
【０１５５】
１０Ｙ，１０Ｍ，１０Ｃ，１０Ｋ  画像形成ユニット（画像形成部）
１１  ＣＣＤ
１２  スキャナ制御部
１４  操作部
１５  制御部
１６  画像処理手段
１８  表示部
２０  用紙供給部
３１  サブメモリ
３２  ページメモリ
４８  操作表示部
５１  読み取り処理部
５２  データバス
５３  画像メモリ
５４  不揮発メモリ
５５  画像制御ＣＰＵ
５６  ＤＲＡＭ制御ＩＣ（抽出部）
５７  書き込み処理部
６１  コントローラ制御ＣＰＵ
６２  ＤＲＡＭ制御ＩＣ
６３  画像メモリ
６４  ＬＡＮＩＦ部
７１  トリミング回路（強調処理部：書き込み処理部）
７２  マージ回路（強調処理部：書き込み処理部）
８０  プリンタ（画像形成部）
８２  プリンタ制御部
１００  カラー複写機
２００  パーソナルコンピュータ（パソコン）
【図１】
2012135899.tif 000003
【図２】
2012135899.tif 000004
【図３】
2012135899.tif 000005
【図４】
2012135899.tif 000006
【図５】
2012135899.tif 000007
【図６】
2012135899.tif 000008
【図７】
2012135899.tif 000009
【図８】
2012135899.tif 000010
【図９】
2012135899.tif 000011
【図１０】
2012135899.tif 000012
【図１１】
2012135899.tif 000013
【図１２】
2012135899.tif 000014
【図１３】
2012135899.tif 000015
【図１４】
2012135899.tif 000016
【図１５】
2012135899.tif 000017
【図１６】
2012135899.tif 000018
【図１７】
2012135899.tif 000019
【図１８】
2012135899.tif 000020